(57)【特許請求の範囲】
【請求項１】
アンテナに直列接続された誘導コイルと、該誘導コイルに並列に、電解コンデンサと、低電流ＬＥＤと逆極性のトランジスタの直列回路が、それぞれ接続されたことを特徴とするレーダ受信型発光装置。
【請求項２】
船舶用レーダ等のような高出力、高周波であるパルス波をエネルギー源とすること特徴とする請求項１記載のレーダ受信型発光装置。
【請求項３】
救命胴衣に装備されること特徴とする請求項１または請求項２記載のレーダ受信型発光装置。
【請求項４】
救命艇または漂流ブイまたは船舶に装備されること特徴とする請求項１または請求項２記載のレーダ受信型発光装置。
【請求項５】
港湾等の夜間表示板の発光源に用いること特徴とする請求項１記載のレーダ受信型発光装置。
【発明の詳細な説明】
【０００１】
【発明の属する技術分野】
本発明は、レーダ等の高出力パルス波をアンテナからコイルに受け、電磁誘導により生じた電流をコンデンサ等に蓄電し、低電流ＬＥＤを発光させる装置に関する。
【０００２】
【従来の技術】
夜間における船舶等からの海中への転落者の捜索では、ライフジャケットに装備してある懐中電灯や光反射テープなどを手がかりに捜索を行っている。しかし、反射テープは、捜索者が遭難者に向けてライトを照射できた時だけに反射するものであり、夜間での転落者の捜索は非常に困難である。また、懐中電灯は、電池には寿命があり長期間連続での使用は困難であると共に、電池の保存期間により、必要なときに機能させるためには定期的なメンテナンスが必要である。更に、バッテリーを用いるものでは、その大きさにより装備位置や耐水性、経年変化に注意を配る必要があった。
【０００３】
従来、低出力、連続発信電波をエネルギー源とし、電磁誘導により生じた電流を電源とした種々の装置がある。例えば、自動改札用カード（ｓｕｉｃａ）や携帯電話の着信標示アクセサリーなどである。携帯電話のアクセサリーの場合は、図２に示すように、アンテナ部分に高輝度ＬＥＤを取り付け通話時に発光させている。
【０００４】
図２において、４はアンテナ、５はコイル、６はゲルマニウムダイオード、７は高輝度ＬＥＤである。携帯電話が発する８００ＭＨｚ＆１２００ＭＨｚの連続発信の電波をアンテナ４で受信し、コイル５に電磁誘導で誘導される誘導電流をゲルマニウムダイオード６で整流して高輝度ＬＥＤ７に供給する。この場合、携帯電話から電源供給は受けることなく、携帯電話の送信電力は０．５Ｗ程度であるが、連続発信のため電磁誘導により低電流の高輝度ＬＥＤ７を発光させることが可能となる。
【０００５】
【発明が解決しようとする課題】
このように、携帯電話の送信電力は低出力であっても、連続発信のため電磁誘導で低電流ＬＥＤを発光させることが可能であるが、船舶用レーダ等のような高出力、高周波であるパルス波をエネルギー源としたレーダ受信型発光装置は存在しなかった。そこで、本発明は船舶用レーダ等の高出力パルス波を利用して低電流ＬＥＤを発光させるレーダ受信型発光装置を提供することを目的とする。
【０００６】
【課題を解決するための手段】
上記目的を達成するために、本発明の請求項１に係るレーダ受信型発光装置は、アンテナに直列接続された誘導コイルと、該誘導コイルに並列に、電解コンデンサと、低電流ＬＥＤと逆極性のトランジスタの直列回路が、それぞれ接続された構成とした。
【０００７】
こうして、高出力、高周波であるパルス波をエネルギー源としたレーダ受信型発光装置は従来存在しなかったが、高出力パルス波を利用して電解コンデンサ等に蓄電して低電流ＬＥＤを発光させることにより、レーダ受信型発光装置の実現を可能とする。
【０００８】
本発明の請求項２に係るレーダ受信型発光装置は、船舶用レーダ等のような高出力、高周波であるパルス波をエネルギー源とし、アンテナに直列接続された誘導コイルと、該誘導コイルに並列に、電解コンデンサと、低電流ＬＥＤと逆極性のトランジスタの直列回路が、それぞれ接続された構成とした。
【０００９】
こうして、船舶用レーダ等のような高出力、高周波であるパルス波をエネルギー源としたレーダ受信型発光装置は従来存在しなかったが、船舶用レーダ等の高出力パルス波を利用して電解コンデンサ等に蓄電して低電流ＬＥＤを発光させることにより、レーダ受信型発光装置の実現を可能とする。
【００１０】
本発明の請求項３に係るレーダ受信型発光装置は、船舶用レーダ等のような高出力、高周波であるパルス波をエネルギー源とし、アンテナに直列接続された誘導コイルと、該誘導コイルに並列に、電解コンデンサと、低電流ＬＥＤと逆極性のトランジスタの直列回路が、それぞれ接続された構成とし、救命胴衣に装備した。
【００１１】
こうして、救命胴衣に装備することにより海上遭難時において、夜間の海中転落者各人の位置がはっきりと認識でき、救命活動を容易にする。受信側に誘導率が高いアンテナを用いることで、無指向性にレーダ波をキャッチできるので、ライフジャケツトに装備するだけでも大きなマーケットが期待できる。
【００１２】
本発明の請求項４に係るレーダ受信型発光装置は、船舶用レーダ等のような高出力、高周波であるパルス波をエネルギー源とし、アンテナに直列接続された誘導コイルと、該誘導コイルに並列に、電解コンデンサと、低電流ＬＥＤと逆極性のトランジスタの直列回路が、それぞれ接続された構成とし、救命艇または漂流ブイまたは船舶に装備した。
【００１３】
こうして、救命艇、漂流ブイまたは船舶に装備することで、海上における位置標示を明確にすることができ、救助の時間を短縮でき、かつ船舶同士の衝突事故を予防することができる。
【００１４】
本発明の請求項５に係るレーダ受信型発光装置は、アンテナに直列接続された誘導コイルと、該誘導コイルに並列に、電解コンデンサと、低電流ＬＥＤと逆極性のトランジスタの直列回路が、それぞれ接続された構成とし、港湾等の夜間表示板の発光源に用いた。
【００１５】
こうして、港湾等に設置されたレーダの電波を利用することにより、港湾入口などに設置した港湾施設等の夜間表示板の電源として用いることができ、電源施設の設置に不便なところでも電源を確保でき長距離の位置にも対応できると共に、メンテナンスフリーの夜間表示板を得ることができる。
【００１６】
【発明の実施の形態】
船舶用レーダでは、出力は２ｋＷ以上と高出力であるが、パルス波であり、ＬＥＤを発光させるために十分な電力を得ることが困難である。そこで受信アンテナやコイルを正確に設計し、電解コンデンサ等に蓄電し、一定以上の電力になったらＬＥＤを発光させることで解決するものである。次に、本発明の実施形態を図を参照して説明する。
【００１７】
図１は本発明のレーダ受信型発光装置の実施形態である。図において、１は低電流ＬＥＤ、２はトランジスタ、３は電解コンデンサ、４はアンテナ、５は誘導コイルである。本発明のレーダ受信型発光装置は、アンテナ４に直列に誘導コイル５が接続され、該誘導コイル５に並列に、電解コンデンサ３と、低電流ＬＥＤ１と逆極性のトランジスタ２の直列回路が、それぞれ接続された構成をとっている。
【００１８】
船舶用レーダ等のような高出力、高周波（３Ｇ，５Ｇ，９ＧＨｚ）であるパルス波をアンテナ４で受信し、該アンテナ４と直列に接続された誘導コイル５には、パルス状のレーダ波を受けて電磁誘導が起こり、誘導電流はパルス状のものであるので、整流することなく電解コンデンサ３に順次充電される。電解コンデンサ３の電圧が徐々に高くなり、トランジスタ２のＥ−Ｃ間の耐圧＋ＬＥＤ１の順方向電圧を超えると、電解コンデンサ３は放電し、トランジスタ２に電流が流れ、低電流ＬＥＤ１を発光させる。
【００１９】
ＬＥＤ１は発光するが、その瞬間、トランジスタ２のＥ−Ｃ間の電圧が下がり、コンデンサが放電してしまいＬＥＤ１が消灯する。そして電流が消失すると、トランジスタ２のＥ−Ｃ間の耐圧は元に戻るので、電解コンデンサ３の電圧が再び高くなるまでＬＥＤ１は消灯している。
【００２０】
再び、電解コンデンサ３の電圧が徐々に高くなり、トランジスタ２のＥ−Ｃ間の耐圧＋ＬＥＤ１の順方向電圧を超えると、電解コンデンサ３は放電し、トランジスタ２に電流が流れ、低電流ＬＥＤ１を発光させ、この動作を繰り返し行なう。ここで、充電装置として電解コンデンサを例示したが、同様な機能のものであれば当該分野で周知な手段を用いることができることは勿論である。
【００２１】
本装置は、救命胴衣に装備することにより海上遭難時において、夜間の海中転落者各人の位置がはっきりと認識でき、救命活動を容易にする。受信側に誘導率が高いアンテナを用いることで、無指向性にレーダ波をキャッチできるので、ライフジャケツトに装備するだけでも大きなマーケットが期待できる。また、救命艇、漂流ブイあるいは船舶に装備することで、海上における位置標示を明確にすることができ、救助の時間を短縮でき、かつ船舶同士の衝突事故を予防することができる。
【００２２】
また、港湾等に設置されたレーダの電波を利用することにより、港湾入口などに設置した港湾施設等の夜間表示板の電源として用いることができ、電源施設の設置に不便なところでも電源を確保でき長距離の位置にも対応できると共に、メンテナンスフリーの夜間表示板を得ることができる。
【００２３】
このように、本発明のレーダ受信型発光装置であれば、構成部品が少なくて済み、バッテリを必要としないため、装備する場所の制限が少なく、耐水性も充分に確保できる。更に、経年変化の影響が殆どないメンテナンスフリーの装置を得ることができる。
【００２４】
【発明の効果】
以上のように本発明は、高出力、高周波であるパルス波をエネルギー源としたレーダ受信型発光装置は従来存在しなかったが、高出力パルス波を利用して電解コンデンサ等に蓄電して低電流ＬＥＤを発光させることにより、レーダ受信型発光装置の実現を可能とする。
【００２５】
そして、電源としてのバッテリを必要とせず、メンテナンスフリーであり、装置も小型であるため維持コスト、製造コストも僅少ですむ。そして、海中転落者の救命胴衣や救命艇あるいは漂流ブイなどに装備することで、夜間の海中転落者や転落物の発見を容易にする。また、港湾入口などに設置してメンテナンスフリーの夜間表示板としても利用できる。
【図面の簡単な説明】
【図１】本発明のレーダ受信型発光装置の実施形態図。
【図２】レーダ受信型発光装置の従来図。
【符号の説明】
１                低電流ＬＥＤ
２                トランジスタ
３                電解コンデンサ
４                アンテナ
５                誘導コイル
６                ゲルマニウムダイオード
７                高輝度ＬＥＤ
【図１】
0003629018.tif 000002
【図２】
0003629018.tif 000003